(57)【要約】【課題】空気調和機システムにおいて、室内の温度と湿度を調節して、居住者によって快適な温湿度空間を作り出すことを目的としている。【解決手段】機器内に、給気した空気の湿度を調節できる加湿フィルター７と除湿フィルター８と、湿度制御マイコン１０を備えた換気装置１１と、室内の温度を調節することが出来る熱交換器２と、制御マイコン３を備えた空気調和機５と、空気調和機５と換気装置１１を連動する連動回路１２を構成し、室内の温度湿度を調節する。【選択図】図１
2010065874.tif 000002
【特許請求の範囲】
【請求項１】
機器内に、外気を室内に供給する給気手段と給気した空気の湿度を調節する湿度調節手段と前記湿度調節手段を制御する湿度制御手段とを備えた換気装置と、室内の温度を調節することが出来る温度調節手段と、前記温度調節手段を制御する温度制御手段と、室内の湿度を検知する湿度検知手段とを備えた空気調和機と、前記換気装置と前記空気調和機を連動するための連動手段を備え、前記空気調和機と前記換気装置を連動して動作させる特徴とする空気調和システム。
【請求項２】
空気調和機に室内の温度を検知する温度検知手段を備え、連動手段にて室内の温度と湿度から不快指数を計算し、快適と感じる不快指数まで温度および湿度を調節することを特徴とする請求項１記載の空気調和システム。
【請求項３】
空気調和機に、使用者が快適な不快指数値を設定できることができる入力手段を備え、不快指数値を設定できることを特徴とする請求項２記載の空気調和システム。
【請求項４】
空気調和機で暖房運転をすると、連動手段から湿度制御手段に加湿する信号を送ることを特徴とする、請求項１記載の空気調和システム。
【請求項５】
空気調和機で冷房運転をすると、連動手段から湿度制御手段に除湿する信号を送ることを特徴とする、請求項１記載の空気調和システム。
【請求項６】
空気調和機が待機時に、湿度検知手段にて室内の湿度を検知し、湿度がある閾値から外れているときは連動手段から前記湿度制御手段へ信号を送り、換気装置で湿度調節をすることを特徴とした請求項１記載の空気調和システム。
【請求項７】
空気調和機に運転状況を表示する表示手段を備え、換気装置にて給気する空気の湿度調節をしているとき、前記空気調和機に湿度を調節している表示をすることを特徴とした請求項１記載の空気調和システム。
【請求項８】
表示手段に、現在の湿度を表示することを特徴とした請求項７記載の空気調和システム
【請求項９】
表示手段に、温度と湿度が最適な状態となったときに表示をすることを特徴とした請求項７記載の空気調和システム。
【請求項１０】
換気装置に、除湿した水を貯水する貯水タンクと、貯水タンクから排水する排水手段を備え、貯水タンクの水を室外に排水することを特徴とした請求項１記載の空気調和システム。
【請求項１１】
貯水タンクに、この貯水タンクの水位を検知する水位検知手段を備え、水位が一定の閾値を超えたときに、前記貯水タンクの水を自動的に排水することを特徴とした請求項１０記載の空気調和システム。
【請求項１２】
換気装置に、加湿する水を給水するための給水手段を備え、この給水手段を水道管と接続し、自動的に給水することを特徴とした請求項１記載の空気調和機。
【発明の詳細な説明】
【技術分野】
【０００１】
本発明は、空気調和システムに関する。
【背景技術】
【０００２】
従来、この種の空気調和機では、空気調和機の循環している空気を湿度調整しているため、外から換気しながら温度湿度調整することが難しく、室内での湿度分布のムラが大きかった（例えば特許文献１参照）。
【０００３】
以下、その空気調和機について図７を参照にしながら説明する。
【０００４】
図７において、センサー１０１によって各部屋の現時点の湿度と温度を検出する。また、季節判断手段１０２の予め組み込まれたメモリーから現時点の季節判断を行う。センサー１０１および季節判断手段１０２との出力信号から現時点の室内状況と季節を判定処理部１０３によって判断する。この判定処理部１０３により湿度制御手段１０４および温度制御手段１０５を制御する。
【特許文献１】特開平７−６３３９７号公報
【発明の開示】
【発明が解決しようとする課題】
【０００５】
このような従来の空気調和機では、高気密高断熱住宅では、空気調和機で温度調節していると、湿度が変化し、快適な温度・湿度条件からはずれてしまうという課題があった。
【０００６】
また、空気調和機の使用状況によって、適切な湿度調節が異なるという課題があった。
【０００７】
また、人によって快適と感じる不快指数値が異なるという課題があった。
【０００８】
また、暖房運転を継続すると、室内の湿度が下がり、乾燥状態となるという課題があった。
【０００９】
また、温度、湿度共に高い場合は不快さが増し、温度のみを下げると空気調和機の使用時間が長くなり、電気代がかかるという課題があった。
【００１０】
また、湿度が高い場合、温度が低くても不快さが増すため、空気調和機を使用することが多いという課題があった。
【００１１】
また、換気装置から給気する空気を湿度調節していることが使用者はわかりにくいという課題があった。
【００１２】
また、換気装置から給気する空気を湿度調節した効果がわかりにくいという課題があった。
【００１３】
また、自動で快適な温湿度条件を作り出した効果がわかりにくいという課題があった。
【００１４】
また、除湿したあと貯まった水を排水しなくてはならないという課題があった。
【００１５】
また、除湿したあと貯まった水を排水するタイミングが使用者はわからないという課題があった。
【００１６】
また、加湿するための水を供給しなくてはならないという課題があった。
【００１７】
本発明は、上記従来の課題を解決するもので、空気調和機の使用状況によらず、室内を快適な温度・湿度条件にし、使用者によって快適な温度・湿度条件を設定でき、暖房運転を継続するときに乾燥し過ぎないようにし、温度・湿度が高い時には経済的に快適な温度・湿度条件にし、待機時においても湿度を調節でき、運転条件を使用者に表示でき、室内の湿度を使用者に表示でき、湿度調節の効果を使用者に表示でき、自動で温度・湿度条件を調節した効果を表示でき、除湿したあと貯まった水を室外に排水でき、自動的に排水ができ、加湿に必要な水を自動的に給水できる空気調和機を提供することを目的としている。
【課題を解決するための手段】
【００１８】
本発明の空気調和装置は上記目的を達成するために、機器内に、外気を室内に供給する給気手段と給気した空気の湿度を調節する湿度調節手段と前記湿度調節手段を制御する湿度制御手段とを備えた換気装置と、室内の温度を調節することが出来る温度調節手段と、前記温度調節手段を制御する温度制御手段と、室内の湿度を検知する湿度検知手段とを備えた空気調和機と、前記空気調和機と前記換気装置を連動するための連動手段を備え、前記空気調和機と前記換気装置を連動して動作させる構成としたものである。
【００１９】
この手段により、空気調和機と換気装置を連動して、温度・湿度を調節することができる。
【００２０】
また、他の手段は、空気調和機に室内の温度を検知する温度検知手段を備え、連動手段にて室内の温度と湿度から不快指数を計算し、快適と感じる不快指数まで温度および湿度を調節する構成としたものである。
【００２１】
この手段により、温度・湿度を調節して快適な空間にすることができる。
【００２２】
また、他の手段は、空気調和機に、使用者が快適な不快指数値を設定できることができる入力手段を備え、不快指数値を設定できる構成としたものである。
【００２３】
この手段により、使用者が個別に温度・湿度を調節して快適な空間にすることができる。
【００２４】
また、他の手段は、空気調和機で暖房運転をすると、連動手段から湿度制御手段に加湿する信号を送る構成にしたものである。
【００２５】
この手段により、暖房運転中の乾燥を防ぐことができる。
【００２６】
また、他の手段は、空気調和機で冷房運転をすると、連動手段から湿度制御手段に除湿する信号を送る構成にしたものである。
【００２７】
この手段により、空気調和機の冷房運転時間を少なくすることができる。
【００２８】
また、他の手段は、空気調和機が待機時に、湿度検知手段にて室内の湿度を検知し、湿度が所定の閾値から外れているときは連動手段から湿度制御手段へ信号を送り、換気装置で湿度調節をする構成にしたものである。
【００２９】
この手段により、室内を常時湿度調節をすることができる。
【００３０】
また、他の手段は、空気調和機に運転状況を表示する表示手段を備え、換気装置にて給気する空気の湿度調節をしているとき、前記空気調和機に湿度を調節している表示をする構成にしたものである。
【００３１】
この手段により、使用者に湿度調節していることを知らせることができる。
【００３２】
また、他の手段は、表示手段に、現在の湿度を表示する構成にしたものである。
【００３３】
この手段により、使用者に湿度調節した事による効果を知らせることができる。
【００３４】
また、他の手段は、表示手段に、温度と湿度が最適な状態となったときに表示をする構成にしたものである。
【００３５】
この手段により、使用者に温度・湿度を調節して快適な空間を作り出した効果を知らせることができる。
【００３６】
また、他の手段は、換気装置に、除湿した水を貯水する貯水タンクと、この貯水タンクから排水する排水手段を備え、前記貯水タンクの水を室外に排水する構成にしたものである。
【００３７】
この手段により、貯水タンクの水を排水する手間をなくすことができる。
【００３８】
また、他の手段は、貯水タンクに、この貯水タンクの水位を検知する水位検知手段を備え、水位が一定の閾値を超えたときに、前記貯水タンクの水を自動的に排水する構成にしたものである。
【００３９】
この手段により、貯水タンクの水をいつ排水すれば良いか使用者が気にすることがなくなる。
【００４０】
また、他の手段は、換気装置に、加湿する水を給水するための給水手段を備え、この給水手段を水道管と接続し、自動的に給水する構成にしたものである。
【００４１】
この手段により、使用者が給水する手間をなくすことができる。
【発明の効果】
【００４２】
本発明によれば、温度、湿度の調節により効率の良い快適空間調節ができる空気調和システムを得ることができる。
【００４３】
また、自動で適当な温度・湿度条件に調節可能な空気調和システムを得ることができる。
【００４４】
また、空気調和機の使用による乾燥状態を避けることができる空気調和システムを得ることができる。
【００４５】
また、省エネを図ることができる空気調和システムを得ることができる。
【００４６】
また、温度・湿度調節による効果を使用者に促すことができる空気調和システムを得ることができる。
【００４７】
また、排水の手間がかからない空気調和システムを得ることができる。
【００４８】
また、給水の手間がかからない空気調和システムを得ることができる。
【発明を実施するための最良の形態】
【００４９】
本発明の請求項１の発明は、機器内に、外気を室内に供給する給気手段と給気した空気の湿度を調節する湿度調節手段と前記湿度調節手段を制御する湿度制御手段とを備えた換気装置と、室内の温度を調節することが出来る温度調節手段と、前記温度調節手段を制御する温度制御手段と、室内の湿度を検知する湿度検知手段とを備えた空気調和機と、前記空気調和機と前記換気装置を連動するための連動手段を備え、前記空気調和機と前記換気装置を連動して動作させる構成としたものであり、空気調和機と換気装置を連動して、温度・湿度を調節することができるという作用を有する。
【００５０】
本発明の請求項２の発明は、空気調和機に室内の温度を検知する温度検知手段を備え、連動手段にて室内の温度と湿度から不快指数を計算し、快適と感じる不快指数まで温度および湿度を調節する構成としたものであり、温度・湿度を調節して快適な空間にすることができるという作用を有する。
【００５１】
本発明の請求項３の発明は、空気調和機に、使用者が快適な不快指数値を設定できることができる入力手段を備え、不快指数値を設定できる構成としたものであり、使用者が個別に温度・湿度を調節して快適な空間にすることができるという作用を有する。
【００５２】
本発明の請求項４の発明は、空気調和機で暖房運転をすると、連動手段から湿度制御手段に加湿する信号を送る構成にしたものであり、暖房運転中の乾燥を防ぐことができるという作用を有する。
【００５３】
本発明の請求項５の発明は、空気調和機で冷房運転をすると、連動手段から湿度制御手段に除湿する信号を送る構成にしたものであり、空気調和機の冷房運転時間を少なくすることができるという作用を有する。
【００５４】
本発明の請求項６の発明は、空気調和機が待機時に、湿度検知手段にて室内の湿度を検知し、湿度が所定の閾値から外れているときは連動手段から前記湿度制御手段へ信号を送り、換気装置で湿度調節をする構成にしたものであり、室内を常時湿度調節をすることができるという作用を有する。
【００５５】
本発明の請求項７の発明は、空気調和機に運転状況を表示する表示手段を備え、換気装置にて給気する空気の湿度調節をしているとき、空気調和機に湿度を調節している表示をする構成にしたものであり、使用者に湿度調節していることを知らせることができるという作用を有する。
【００５６】
本発明の請求項８の発明は、表示手段に、現在の湿度を表示する構成にしたものであり、使用者に湿度調節した事による効果を知らせることができるという作用を有する。
【００５７】
本発明の請求項９の発明は、表示手段に、温度と湿度が最適な状態となったときに表示をする構成にしたものであり、使用者に温度・湿度を調節して快適な空間を作り出した効果を知らせることができるという作用を有する。
【００５８】
本発明の請求項１０の発明は、換気装置に、除湿した水を貯水する貯水タンクと、この貯水タンクから排水する排水手段を備え、前記貯水タンクの水を室外に排水する構成にしたものであり、前記貯水タンクの水を排水する手間をなくすことができるという作用を有する。
【００５９】
本発明の請求項１１の発明は、貯水タンクに、この貯水タンクの水位を検知する水位検知手段を備え、水位が一定の閾値を超えたときに、前記貯水タンクの水を自動的に排水する構成にしたものであり、貯水タンクの水をいつ排水すれば良いか使用者が気にすることがなくなるという作用を有する。
【００６０】
本発明の請求項１２の発明は、換気装置に、加湿する水を給水するための給水手段を備え、この給水手段を水道管と接続し、自動的に給水する構成にしたものであり、使用者が給水する手間をなくすことができるという作用を有する。
【００６１】
以下、本発明の実施の形態について図面を参照しながら説明する。
【００６２】
（実施の形態１）
図１に示すように、機器内に、室内の空気を循環するための循環ファン１と、室内の温度を調節する温度調節用の熱交換器２と、この熱交換器２を制御する制御マイコン３と、室内の湿度を検知する湿度センサー４とを備えた空気調和機５と、外気を室内に供給する給気ファン６と、給気した空気の湿度を加湿する加湿フィルター７と、給気した空気の湿度を除湿できる除湿フィルター８と、これら加湿フィルター７と除湿フィルター８への風路を選択するためのダンパー９と、加湿フィルター７、除湿フィルター８、ダンパー９を制御する湿度制御マイコン１０とを備えた換気装置１１と、空気調和機５と換気装置１１を連動する連動回路１２とを構成する。
【００６３】
そして、加湿フィルター７としては、例えば、吸水性のあるポリエステル性樹脂、除湿フィルター８としては、例えば、デシカントを用いるものである。
【００６４】
上記構成において、循環ファン１によって室内の空気を循環しつつ、熱交換器２にて温度調節を行う。またこれに連動して、制御マイコン３が湿度センサー４からの信号を得て湿度調節の必要の有無を判断する。例えば、空気調和機５が冷房運転をしている時に、湿度センサー４が検知した湿度が８０％と高い値である場合には、制御マイコン３は除湿の必要があると認識する。
【００６５】
また、制御マイコン３が湿度調節の必要があると判断すると、制御マイコン３から連動回路１２へ湿度調節をする命令の信号が出力されて、連動回路１２から換気装置１１の湿度制御マイコン１０へ湿度調節の命令が出力される。湿度調節の命令を受信した湿度制御マイコン１０は、加湿フィルター７と除湿フィルター８のいずれか必要な側のフィルターを動作させて、ダンパー９でフィルターへの風路を調節することで、室外から給気ファン６で取り入れた外気を湿度調節して、室内に送り込む。
【００６６】
例えば、制御マイコン３が除湿の必要があると判断したとき、制御マイコン３から連動回路１２へ除湿をする命令を出力し、連動回路１２から湿度制御マイコン１０へ除湿の命令が出力される。除湿する信号を受信した湿度制御マイコン１０は、除湿フィルター８を除湿可能な状態にし、ダンパー９を除湿フィルター８がある側の風路に動作させる。
【００６７】
また、湿度制御マイコン１０から給気ファン６へ信号を出力し、室外の空気を室内に給気する。給気した空気は除湿フィルター８によって湿度を下げて室内に供給される。
【００６８】
また、湿度センサー４で室内の湿度は常時検知されており、ある一定の湿度まで達すると制御マイコン３は湿度調節の必要がないと判断し、連動回路１２を介して、湿度制御マイコン１０へ湿度調節の停止の信号を出力する。例えば、換気装置１１によって除湿している時に、湿度センサー４からの信号で制御マイコン３が湿度６０％以下であると判断すると、制御マイコン３はこれ以上除湿の必要がないと判断し、連動回路１２を介して、湿度制御マイコン１０へ除湿の停止の信号を出力する。
【００６９】
なお本実施の形態では、温度調節手段として循環ファン１と熱交換器２、温度制御手段として制御マイコン３、湿度検知手段として湿度センサー４、給気手段として給気ファン６、湿度調節手段として加湿フィルター７と除湿フィルター８とダンパー９、湿度制御手段として湿度制御マイコン１０、連動手段として連動回路１２を用いたが、同様の作用効果が得られるものであればこれに限るものではない。
【００７０】
（実施の形態２）
次に、本発明の実施の形態２について図面を参照しながら説明する。なお、実施の形態１と同一のものは同一番号を付し、その詳細な説明を省略する。
【００７１】
図２に示すように、空気調和機５に室内の温度を検知するためのサーミスタ１３を構成する。
【００７２】
上記構成において、空気調和機５によって室内の温度を制御しているとき、湿度センサー４およびサーミスタ１３から室内の湿度および温度が制御マイコン３Ａに送信される。制御マイコン３Ａにおいて、以下の計算式で不快指数を計算する。
【００７３】
不快指数  Ａ＝０．８１×Ｔｄ＋０．０１×Ｈ×（０．９９×Ｔｄ−１４．３）＋４６．３  ・・・・・・（１）
Ｔｄ：室内温度（℃）、Ｈ：室内湿度（％）
制御マイコン３Ａによって（１）式で計算した不快指数が快適と感じる値になるように室内の温度および湿度を調節するように動作する。
【００７４】
例えば、室内の温度が３０℃、湿度が８０％である場合、式（１）より不快指数はＡ＝８３となる。不快指数がＡ＝６０〜７０の間が快適な空間でるとしてこの値に当てはまるように温度および湿度を調節する。制御マイコン３Ａは、湿度センサー４およびサーミスタ１３からの信号で上記の不快指数を計算した後、室内の温度を下げるために循環ファン１および熱交換器２によって室内の温度を下げる制御をする。また、同時に湿度を下げるために連動回路１２を介して換気装置１１の湿度制御マイコン１０に除湿する信号を出力し、給気ファン６、除湿フィルター８およびダンパー９を動作して室内に除湿した空気を送り込む。
【００７５】
このようにして室内の温度、湿度が下げている間、常時湿度センサー４およびサーミスタ１３で室内の湿度、温度を検知しており、制御マイコン３Ａによって計算した不快指数がＡ＝６０〜７０の間に入ったところで温度と湿度の制御を停止する。
【００７６】
なお本実施の形態では、温度検知手段としてサーミスタ１３を用いたが、同様の作用効果が得られるものであればこれに限るものではない。
【００７７】
（実施の形態３）
次に、本発明の実施の形態３について図面を参照しながら説明する。なお、実施の形態１と同一のものは同一番号を付し、その詳細な説明を省略する。
【００７８】
図３に示すように、空気調和機５に使用者が快適な不快指数値を設定するための入力スイッチ１４を構成する。また、本実施の形態の制御マイコン３Ｂは、実施の形態２の制御マイコン３Ａに対して、前記入力スイッチ１４で入力した不快指数と計算した不快指数とで制御を行うものである。
【００７９】
上記構成において、使用者が自分で快適と感じる不快指数を入力スイッチ１４で入力し、入力した不快指数に当てはまるように温度および湿度を調節する。具体的には、入力スイッチ１４で使用者が不快指数Ａ＝７０〜７５と設定された場合、湿度センサー４およびサーミスタ１３で検知し、制御マイコン３Ｂで計算した不快指数の値が７０〜７５の間に当てはまるように湿度、および温度を調節する。
【００８０】
このようにして室内の温度、湿度が下げている間、常時湿度センサー４およびサーミスタ１３で室内の湿度、温度を検知しており、制御マイコン３Ｂによって計算した不快指数がＡ＝７０〜７５の間に入ったところで温度と湿度の制御を停止する。
【００８１】
なお本実施の形態では、入力手段として入力スイッチ１４を用いたが、同様の作用効果が得られるものであればこれに限るものではない。
【００８２】
また、空気調和機５が暖房運転をしているとき、制御マイコン３Ｂから連動回路１２を介して湿度制御マイコン１０へ加湿する信号を出力する。
【００８３】
例えば、空気調和機５が暖房運転を始めると、制御マイコン３Ｂが連動回路１２を介して湿度制御マイコン１０へ加湿する信号を出力し、湿度制御マイコン１０は給気ファン６、加湿フィルター７、ダンパー９を動作させて室内に加湿した空気を送り込む。このようにして暖房運転中、室内の湿度を上げている間、常時湿度センサー４で室内の湿度を検知しており、制御マイコン３Ｂで計算した不快指数値がある範囲内（例えば６０〜７０）に入ると、制御マイコン３は換気装置１１の加湿運転を停止する信号を連動回路１２を介して湿度制御マイコン１０へ出力する。
【００８４】
また、空気調和機５が冷房運転をしているとき、制御マイコン３Ｂから連動回路１２を介して湿度制御マイコン１０へ除湿する信号を出力する。
【００８５】
例えば、空気調和機５が冷房運転を始めると、制御マイコン３Ｂが連動回路１２を介して湿度制御マイコン１０へ除湿する信号を出力し、湿度制御マイコン１０は給気ファン６、除湿フィルター８、ダンパー９を動作させて室内に除湿した空気を送り込む。このようにして冷房運転中、室内の湿度を下げている間、常時、湿度センサー４およびサーミスタ１３で室内の湿度、温度を検知しており、制御マイコン３Ｂで計算した不快指数値がある範囲内（例えば６０〜７０）に入ると、制御マイコン３Ｂは換気装置１１の除湿運転を停止する信号を連動回路１２を介して湿度制御マイコン１０へ出力する。
【００８６】
また、空気調和機５が停止している間、湿度センサー４で検知した値を制御マイコン３Ｂで制御し、閾値から外れているときは、連動回路１２を介して湿度制御マイコン１０へ湿度を調節する信号を出力する。
【００８７】
例えば、湿度センサー４で検知した値を制御マイコン３Ｂで閾値に外れているかどうかを判断する。閾値が４０％〜６０％であるとき、湿度センサー４で検知した値が３０％であるとしたら、制御マイコン３Ｂは加湿する命令の信号を連動回路１２を介して湿度制御マイコン１０へ出力する。このようにして室内の湿度を下げている間、常時湿度センサー４の湿度を検知しており、湿度センサーで検知した値が閾値の範囲内に入ると、制御マイコン３は換気装置１１の加湿運転を停止する信号を連動回路１２を介して湿度制御マイコン１０へ出力する。
【００８８】
（実施の形態４）
次に、本発明の実施の形態４について図面を参照しながら説明する。なお、実施の形態１と同一のものは同一番号を付し、その詳細な説明を省略する。
【００８９】
図４に示すように、空気調和機５に運転状況を表示するための表示手段としての表示ＬＣＤ１５を構成する。また、本実施の形態の制御マイコン３Ｃは、実施の形態２の制御マイコン３Ａに対して、前記表示ＬＣＤへ湿度調節状態を表示する構成が備わったものである。
【００９０】
上記構成において、湿度制御マイコン１０によって湿度を調節している動作をしている間は、湿度制御マイコン１０から連動回路１２を介して制御マイコン３に湿度調節をしている状態である信号を出力し、制御マイコン３Ｃは表示ＬＣＤ１５に湿度調節状態を表示する。
【００９１】
また、湿度センサー４で検知した湿度の値を制御マイコン３Ｃに出力し、制御マイコン３Ｃは表示ＬＣＤ１５に現在の湿度を表示する。
【００９２】
また、温度および湿度を調節している際に、湿度センサー４およびサーミスタ１３からの信号を制御マイコン３Ｃに出力して、制御マイコン３Ｃで不快指数値を式（１）で計算する。計算した不快指数の値がある範囲（例えば６０〜７０）に入ると、温度および湿度の調節を停止し、表示ＬＣＤ１５へ快適な空間になった旨を表示する。
【００９３】
なお本実施の形態では、表示手段として表示ＬＣＤ１５を用いたが、同様の作用効果が得られるものであればこれに限るものではない。
【００９４】
（実施の形態５）
次に、本発明の実施の形態５について図面を参照しながら説明する。なお、実施の形態１と同一のものは同一番号を付し、その詳細な説明を省略する。
【００９５】
図５に示すように、換気装置１１は、除湿した水を貯水するための貯水タンク１６と貯水した水を排水するための排水管１７と、排水管の弁を開閉する排水弁１８と、貯水タンク１６の水面と常に同じ位置となる磁石を備えたフロート１９と、フロート１９の磁石の位置を検知するホールＩＣ２０とで構成する。
【００９６】
上記構成において、換気装置１１が外気からの空気を除湿して室内に給気する際に結露水が貯水タンク１６に貯まる。貯水タンク１６の結露水は排水管１７を介して室外に繋がっており、貯水タンク１６に貯まった結露水は室外に排水されるようになっている。
【００９７】
また、貯水タンク１６の結露水が貯水タンク１６が満水になったことをホールＩＣ２０がフロート１９を検知し、湿度制御マイコン１０に信号が出力され、湿度制御マイコン１０が排水弁１８に開となる信号を出力し貯水タンク１６の結露水を自動的に排水する。
【００９８】
なお本実施の形態では、排水手段として排水管１７と排水弁１８、水位検知手段としてホールＩＣ２０を用いたが、同様の作用効果が得られるものであればこれに限るものではない。
【００９９】
（実施の形態６）
次に、本発明の実施の形態６について図面を参照しながら説明する。なお、実施の形態１と同一のものは同一番号を付し、その詳細な説明を省略する。
【０１００】
図６に示すように、換気装置１１は、加湿するための水を給水するための給水手段としての給水タンク２１と、水道管と給水タンク２１を接続する給水管２２を構成する。
【０１０１】
上記構成において、湿度制御マイコン１０によって換気装置１１が加湿しているとき、加湿するために必要な水を水道管から給水管２２を介して給水タンク２１へ貯水されて、給水タンク２１の水を使用して加湿を行う。
【０１０２】
なお本実施の形態では、給水手段として給水タンクおよび給水管を用いたが、同様の作用効果が得られるものであればこれに限るものではない。
【産業上の利用可能性】
【０１０３】
高気密高断熱住宅における居住空間全体の温度湿度制御
【図面の簡単な説明】
【０１０４】
【図１】本発明の実施の形態１の空気調和機および換気装置の構成を示す概略図
【図２】本発明の実施の形態２の空気調和機および換気装置の構成を示す概略図
【図３】本発明の実施の形態３の空気調和機および換気装置の構成を示す概略図
【図４】本発明の実施の形態４の空気調和機および換気装置の構成を示す概略図
【図５】本発明の実施の形態５の空気調和機および換気装置の構成を示す概略図
【図６】本発明の実施の形態６の空気調和機および換気装置の構成を示す概略図
【図７】従来の空気調和機の構成を示す概略図
【符号の説明】
【０１０５】
１      循環ファン
２      熱交換器
３      制御マイコン
３Ａ    制御マイコン
３Ｂ    制御マイコン
３Ｃ    制御マイコン
４      湿度センサー
５      空気調和機
６      給気ファン
７      加湿フィルター
８      除湿フィルター
９      ダンパー
１０    湿度制御マイコン
１１    換気装置
１２    連動回路
１３    サーミスタ
１４    入力スイッチ
１５    表示ＬＣＤ
１６    貯水タンク
１７    排水管
１８    排水弁
１９    フロート
２０    ホールＩＣ
２１    給水タンク
２２    給水管
１０１  センサー
１０２  季節判断手段
１０３  判定処理部
１０４  湿度制御手段
１０５  温度制御手段
【図１】
2010065874.tif 000003
【図２】
2010065874.tif 000004
【図３】
2010065874.tif 000005
【図４】
2010065874.tif 000006
【図５】
2010065874.tif 000007
【図６】
2010065874.tif 000008
【図７】
2010065874.tif 000009